(57)【要約】本発明は、刃保護部を有する容器栓に関し、容器栓は、容器に収容される貯蔵管を有する下キャップと、下キャップ上にネジ結合される上キャップとを備え、上キャップの底面の中央から下方に延びた内部シリンダの底面に、貯蔵管の底の開き板の縁における切断溝を切断する切断刃と、切断刃を保護する刃保護部とが設けられ、刃保護部は、分離されたときには、刃による損傷を保護する刃保護部として機能し、刃が作用するときには、開き板の底を押して切断溝の切断が容易になるように機能する。
2013522125.tif 000002
【特許請求の範囲】
【請求項１】
容器の入口に結合する下キャップ（１１０）と、下キャップ（１１０）の底面の中央から下方に延び、内部に添加剤を貯蔵する貯蔵管（１３０）と、貯蔵管（１３０）の底の一部に切断刃（２２）と刃保護部（３１０）を同時に収容する結合溝（１３５）が設けられた開き板（１３２）を有する固定部材（１００）、及び、
貯蔵管（１３０）の上部の延長管（１３１）の上端ネジ線（１２８）とネジ結合する上キャップ（３００Ｂ）と、上キャップ（３００Ｂ）の底面の中央から下方に延びた内部シリンダ（７８）と、内部シリンダ（７８）の下端において突出した切断刃（２２）と、切断刃（２２）の刃を保護するように、内部シリンダ（７８）と同軸方向に突出した帯状の刃保護部（３１０）を有する作動部材（３００）を含むように構成され、
前記切断刃（２２）と刃保護部（３１０）は、前記結合溝（１３５）に同時に収容され、上キャップを回し開ける回転時、貯蔵管（１３０）の開き板（１３２）の底の縁を刃保護部が先に押して切断刃（２２）が切断溝（１３３）を切断するように機能することを特徴とする刃保護部を有する容器栓。
【請求項２】
切断刃（２２）と刃保護部（３１０）の下端は、一定の幅及び高さでブリッジ溝（３１２）をなし、結合溝（１３５）の始点から終点までは、開き板（１３２）と切断溝（１３３）との間に上方に一定に突出した案内ダム（１３４）が形成され、案内ダム（１３４）は、前記ブリッジ溝（３１２）が移動するガイドとして機能するように構成されていることを特徴とする請求項１に記載の刃保護部を有する容器栓。
【請求項３】
案内ダム（１３４）の端部分には、開き板（１３２）が下方に瞬間的に開くようにブリッジ溝（３１２）によって押される突出部９１３６）が付加されていることを特徴とする請求項２に記載の刃保護部を有する容器栓。
【請求項４】
切断刃（２２）の幅よりも刃保護部（３１０）の幅が大きく、上キャップ（３００Ｂ）を回し開ける方向において刃よりも前方に位置するように構成されていることを特徴とする請求項２に記載の刃保護部を有する容器栓。
【請求項５】
結合溝（１３５）と開き板（１３２）の一端部には、結合溝（１３５）と開き板（１３２）を傾斜するようにつなぎ、刃保護部（３１０）の初期の押す力を提供する押し傾斜面（１３５ｅ）が形成されていることを特徴とする請求項２に記載の刃保護部を有する容器栓。
【請求項６】
容器の入口（１２）の表面に結合する係止鍔（１１５）によって入口の外面に結合する下キャップ（１１０）と、係止鍔（１１５）の内面から下方に延び、内部に添加剤を貯蔵し、容器の内壁に圧着嵌合される貯蔵管（１３０）と、貯蔵管（１３０）の底の一部に切断刃（２２）と刃保護部（３１０）を同時に収容する結合溝（１３５）が設けられた開き板（１３２）を有する固定部材（１００）、及び、
容器（１０）の入口の容器ネジ（１４）とネジ結合する上キャップ（３００Ｂ）と、上キャップ（３００Ｂ）の底面の中央から下方に延びた内部シリンダ（７８）と、内部シリンダ（７８）の下端において突出した切断刃（２２）と、切断刃（２２）の刃を保護するように、内部シリンダ（７８）と同軸方向に突出した帯状の刃保護部（３１０）を有する作動部材（３００）を含むように構成され、
前記切断刃（２２）と刃保護部（３１０）は、前記結合溝（１３５）に同時に収容され、上キャップの回し開ける回転時、貯蔵管（１３０）の開き板（１３２）の底の縁を刃保護部が先に押して切断刃（２２）が切断溝（１３３）を切断するように機能することを特徴とする刃保護部を有する容器栓。
【請求項７】
容器の入口（１２）の外側面には、回し開き防止用の一方向性係止突起（１５）がさらに形成され、対応する下キャップ（１１０）の内面には、係止突起（１５）の間の空間に位置するように結合する回し開き防止傾斜突起（１１４）がさらに形成されていることを特徴とする請求項６に記載の刃保護部を有する容器栓。
【請求項８】
係止突起（１５）は、突起部が垂直面に鋭角で傾斜し、対応する回し開き防止傾斜突起（１１４）もまた同じ鋭角をなしていることを特徴とする請求項７に記載の刃保護部を有する容器栓。
【請求項９】
切断刃（２２）と刃保護部（３１０）の下端は、一定の幅及び高さでブリッジ溝（３１２）をなし、結合溝（１３５）の始点から終点までは、開き板（１３２）と切断溝（１３３）との間に上方に一定に突出した案内ダム（１３４）が形成され、案内ダム（１３４）は、前記ブリッジ溝（３１２）が移動するガイドとして機能するように構成されていることを特徴とする請求項８に記載の刃保護部を有する容器栓。
【請求項１０】
案内ダム（１３４）の端部分には、開き板（１３２）が下方に瞬間的に開くようにブリッジ溝（３１２）によって押される突出部（１３６）が付加されていることを特徴とする請求項８に記載の刃保護部を有する容器栓。
【請求項１１】
切断刃（２２）の幅よりも刃保護部（３１０）の幅が大きく、上キャップ（３００Ｂ）を回し開ける方向において刃よりも前方に位置するように構成されていることを特徴とする請求項８に記載の刃保護部を有する容器栓。
【請求項１２】
結合溝（１３５）と開き板（１３２）の一端部には、結合溝（１３５）と開き板（１３２）を傾斜するようにつなぎ、刃保護部（３１０）の初期の押す力を提供する押し傾斜面（１３５ｅ）が形成されていることを特徴とする請求項８に記載の刃保護部を有する容器栓。
【発明の詳細な説明】
【技術分野】
【０００１】
本発明は、刃保護部を有する容器栓を提供するためのものであり、容器栓は、容器に収容される貯蔵管を有する下キャップと、下キャップ上にネジ結合される上キャップとを備え、上キャップの底面の中央から下方に延びた内部シリンダの底面に、貯蔵管の底の開き板の縁における切断溝を切断する切断刃と、切断刃を保護する刃保護部とが設けられ、刃保護部は、分離されたときには、刃による損傷を保護する刃保護部として機能し、刃が作用するときには、開き板の底を押して切断溝の切断が容易になるように機能する。
【背景技術】
【０００２】
添加剤を収容する貯蔵部が容器の入口の内部に位置するようにし、栓に設けた刃を用いて貯蔵部の内容物を塞ぐ膜を破り、添加剤が容器の内容物に添加されるようにする、添加剤の添加が可能な二重栓が開発され、医薬品と食品の添加剤等に多様に用いられている。
【０００３】
このような技術の例としては、栓の上部を開き、押し刃を押して貯蔵部の内容物を塞ぐ破裂膜を破る構造、また、添加剤を収容する貯蔵部を別途のハウジングに収容し、上キャップを押したときに、貯蔵部の下端が下に設けた破断可能な刃によって破られ、貯蔵部の添加剤が容器の内容物に添加される構造が知られている。
【０００４】
また、国際公開特許（ＷＯ２００３／０５９７７４号）で知られている構造を例示することができるが、これは、図１の内部シリンダ１８に切断刃２２が設けられたスクリュキャップ２と、容器の入口側の内部に支持される貯蔵部４とを含む。
【０００５】
前記スクリュキャップ２のスクリュキャップ壁６には、ネジ線１６が形成され、スクリュキャップ壁６の下端には、破断地点１０を介して偽造防止機能を有するスカート１２が形成されている。スクリュキャップ壁６の上端には、スクリュキャップの上部８が形成され、スクリュキャップの上部８の底面の中央には、円筒状で瓶の入口側に挿入される内部シリンダ１８がスクリュキャップ壁６と同軸に下向きに突出している。スクリュキャップ壁６の下端の一箇所には、切断刃２２が設けられている。内部シリンダ１８の外面の中央には、螺旋に突出したショルダー２０が形成されている。
【０００６】
前記貯蔵部４は、容器の入口内側に嵌合する円筒状貯蔵部壁３０と、貯蔵部壁３０の底を塞ぐ貯蔵部底３２ａと、貯蔵部底３２ａの底部の縁の下面から突出したポケット３６とを有する。円筒状貯蔵部壁３０の上端縁には、直径が大きくなるように突出したカラー５６が設けられており、カラー５６の底面には、容器の内壁に固定結合する鋸歯状構造物５８が設けられている。ポケット３６を除く貯蔵部底３２ａの周りには、切断を容易にする切断溝５２が形成されている。
【０００７】
従って、このような構造体は、容器の入口に内容物が充填され、図３に示す貯蔵部４の内部空間に添加剤が充填されるように、容器の入口に嵌め入れられる。そうすると、容器の内壁に形成された突出リブと鋸歯状構造物５８とが凹凸結合形態で固定される。
【０００８】
また、図１及び図２に示すスクリュキャップ２を切断刃２２がポケット３６に位置するように配置して、図４のようにキャッピングした状態にする。勿論、キャッピングする容器の図示は、省略する。
【０００９】
使用時には、通常の栓を開くようにスクリュキャップ２を回して開くと、同時に切断エッジも一緒に内部シリンダ１８とともに回転して、切断刃２２がポケット３６の湾曲端部面４６を通って切断するように作用し、切断溝５２が順次切断される。勿論、栓を回して開きながらも底が切断されるように、貯蔵部底３２ａは、ネジ線２６のネジ傾斜と一致するような傾斜を有する。
【００１０】
また、ポケット３６が元の位置に戻ると、貯蔵部底３２ａが荷重によって開いて残りの添加剤が容器の内容物に添加される。その後、使用者は、スクリュキャップ２を完全に開き、貯蔵部４が容器の入口内壁に固定された状態で、内容物を飲めばよい。
【００１１】
しかし、このような方式は、使用の便利さはあるものの、瓶を貯蔵部に一致するように別に作らなければならない不便さがあり、開いた貯蔵部の底が内容物を飲むときに閉じることもあって、飲むときに不便さを与える問題点がある。また、切断刃で容易に切断されるように切断溝を薄くすると、容器の内容物に湿気が入り込むことがあり、添加剤が固まったり変質したりする問題点がある。
【００１２】
このために、貯蔵部を容器の入口の外側に別の下キャップを設けてネジ結合で固定させ、下キャップの上部に補助ネジ部を形成して下キャップの上部にネジ結合する上キャップを固定させ、上キャップの底面の中央には切断刃を有する内部シリンダ構造をなすようにして、既存の容器を用いて２ピースで添加剤を添加可能にする二重栓が米国特許登録第７３３７９２１号により開発された。これは、貯蔵部の貯蔵部底が開いた後、完全に折れて底が塞がらないように、切断エッジにプッシャー板を付加し、ポケットの垂直壁を押して完全に反るようになされた進歩した技術構造である。しかし、このような構造は、上キャップを分離した後、露出する切断刃の鋭い刃によって舌や手を切る可能性があり、特に、子供には致命的な傷害を与える要因となる。勿論、この場合も、切断刃が切断溝を切断しなければならないので、切断溝の厚さが薄くならなければならず、これは、結局、透湿の原因となって、添加剤が変質するか、または、添加剤がパウダーの場合は、固まり現象の要因となる。
【発明の概要】
【発明が解決しようとする課題】
【００１３】
本発明は、上記課題を解決しようとするものであって、本発明の目的は、下キャップと上キャップとを含み、下キャップの底面の中央には、添加剤を貯蔵する貯蔵管が設けられ、貯蔵管の底には、結合溝を有する開き板が形成され、対応する上キャップの内部シリンダの下端には、切断刃と切断刃保護用の刃保護部が設けられ、使用後、上キャップが下キャップから分離されても、子供や使用者が無意識的に刃で肌を損傷することを防ぐ刃保護部を有する容器栓を提供することである。
【００１４】
本発明の他の目的は、刃保護部が、切断刃が作動する前に開き板の底を押すようにして、切断刃の切断を容易にする刃保護部を有する容器栓を提供することである。
【課題を解決するための手段】
【００１５】
このための本発明は、容器の入口に結合する下キャップと、下キャップ底面の中央から下方に延び、内部に添加剤を貯蔵する貯蔵管と、貯蔵管の底の一部に切断刃と刃保護部を同時に収容する結合溝が設けられた開き板を有する固定部材、及び、
貯蔵管の上部の延長管の上端ネジ線とネジ結合する上キャップと、上キャップの底面の中央から下方に延びた内部シリンダと、内部シリンダの下端において突出した切断刃と、切断刃の刃を保護するように、内部シリンダと同軸方向に突出した帯状の刃保護部を有する作動部材を含むように構成され、
前記切断刃と刃保護部は、前記結合溝に同時に収容され、上キャップを回し開ける回転時、貯蔵管の開き板の底の縁を刃保護部が先に押して切断刃が切断溝を切断するように機能する。
【００１６】
本発明において、切断刃と刃保護部の下端は、一定の幅及び高さでブリッジ溝をなし、結合溝の始点から終点までは、開き板と切断溝との間に上方に一定に突出した案内ダムをなし、案内ダムは、前記ブリッジ溝が移動するガイドとして機能するように構成されている。
【００１７】
前記案内ダムの端部分には、開き板が下方に瞬間的に開くようにブリッジ溝によって押される突出部が付加されている。
【発明の効果】
【００１８】
本発明は、下キャップと上キャップとを含み、下キャップの底面の中央には、添加剤を貯蔵する貯蔵管が設けられ、貯蔵管の底には、結合溝を有する開き板が形成され、対応する上キャップの内部シリンダの下端には、切断刃と切断刃保護用の刃保護部が設けられ、使用後、上キャップが下キャップから分離されても、子供や使用者が無意識的に刃で肌を損傷することを防ぐ。
【００１９】
本発明は、刃保護部が、切断刃が機能する前に開き板の底を押すようにして、切断刃の切断を容易にする。
【図面の簡単な説明】
【００２０】
【図１】従来のスクリュキャップの底面斜視図である。
【図２】図１の部分断面状態の斜視図である。
【図３】従来の容器の入口に挿入して用いる添加剤貯蔵部の図である。
【図４】図２のスクリュキャップと図３の貯蔵部が結合した状態の断面図である。
【図５】本発明の初期組立時の斜視図である。
【図６】図５のＡ−Ａ線断面図である。
【図７】本発明の初期組立後、トルクを発生させて２次結合した状態の平面図である。
【図８】本発明の分解断面図である。
【図９】本発明の作動部材をひっくり返した状態の底面斜視図である。
【図１０】本発明の組立状態の底面斜視図である。
【図１１】図１０のＢ−Ｂ線断面図である。
【図１２】図１０の要部拡大斜視図である。
【図１３】本発明の作動状態を示す斜視図である。
【図１４】本発明の開き板が開いた状態を外部側から拡大した図である。
【図１５】本発明のブリッジ溝が案内ダムの突出部を下に押す状態を示す水平断面斜視図である。
【図１６】本発明において、作動部材の上部面にプッシュプルキャップを付加した状態を示す斜視図である。
【図１７】本発明の他の例を示す分解斜視図である。
【図１８】図１７の結合状態の断面図である。
【図１９】図１８のＣ−Ｃ線拡大断面図である。
【図２０】図１８のＤ−Ｄ線拡大断面図である。
【発明を実施するための形態】
【００２１】
本発明は、容器の入口に結合する下キャップ１１０と、下キャップ１１０の底面の中央から下方に延び、内部に添加剤を貯蔵する貯蔵管１３０と、貯蔵管１３０の底の一部に切断刃２２と刃保護部３１０を同時に収容する結合溝１３５が設けられた開き板１３２を有する固定部材１００、及び、
貯蔵管１３０の上部の延長管１３１の上端ネジ線１２８とネジ結合する上キャップ３００Ｂと、上キャップ３００Ｂの底面の中央から下方に延びた内部シリンダ７８と、内部シリンダ７８の下端において突出した切断刃２２と、切断刃２２の刃を保護するように、内部シリンダ７８と同軸方向に突出した帯状の刃保護部３１０を有する作動部材３００を含むように構成され、
前記切断刃２２と刃保護部３１０は、前記結合溝１３５に同時に収容され、上キャップを回し開ける回転時、貯蔵管１３０の開き板１３２の底の縁を刃保護部が先に押して切断刃２２が切断溝１３３を切断するように機能する刃保護部を有する容器栓である。
【００２２】
本発明は、また、容器の入口１２の表面に結合する係止鍔１１５によって入口の外面に結合する下キャップ１１０と、係止鍔１１５の内面から下方に延び、内部に添加剤を貯蔵し、容器の内壁に圧着嵌合される貯蔵管１３０と、貯蔵管１３０の底の一部に切断刃２２と刃保護部３１０を同時に収容する結合溝１３５が設けられた開き板１３２を有する固定部材１００、及び、
容器１０の入口の容器ネジ１４とネジ結合する上キャップ３００Ｂと、上キャップ３００Ｂの底面の中央から下方に延びた内部シリンダ７８と、内部シリンダ７８の下端において突出した切断刃２２と、切断刃２２の刃を保護するように、内部シリンダ７８と同軸方向に突出した帯状の刃保護部３１０を有する作動部材３００を含むように構成され、
前記切断刃２２と刃保護部３１０は、前記結合溝１３５に同時に収容され、上キャップを回し開ける回転時、貯蔵管１３０の開き板１３２の底の縁を刃保護部が先に押して切断刃２２が切断溝１３３を切断するように機能する刃保護部を有する容器栓である。
【００２３】
本発明は、図８に示すように、容器の入口に結合する下キャップ１１０と、下キャップ１１０の上面の底面の中央から下方に延び、内部に添加剤を貯蔵する貯蔵管１３０と、貯蔵管１３０の底の一部に切断刃２２と刃保護部３１０を同時に収容する結合溝１３５が設けられた開き板１３２を有する固定部材１００、及び、
貯蔵管１３０の上部の延長管１３１の外面に形成された上端ネジ線１２８とネジ結合する上キャップ３００Ｂと、上キャップ３００Ｂの上部の底面の中央から下方に延びた内部シリンダ７８と、内部シリンダ７８の下端において突出した切断刃２２と、切断刃２２の刃を保護するように、内部シリンダ７８と同軸方向に突出した帯状の刃保護部３１０を有する作動部材３００を含むように構成されている。
【００２４】
前記切断刃２２と刃保護部３１０は、前記結合溝１３５に同時に収容され、上キャップ３００Ｂを回し開ける回転時、貯蔵管１３０の開き板１３２の底の縁を刃保護部３１０が先に押して切断刃２２が図１１に示す切断溝１３３を切断するように構成される。
【００２５】
前記切断刃２２と刃保護部３１０の下端は、一定の幅及び高さでブリッジ溝３１２をなし、図６に示すように、結合溝１３５の中間地点から約３３０度程度の地点まで（３３０度に限定するものではない）は、開き板１３２と切断溝１３３との間に上部に一定に突出した案内ダム１３４が形成され、案内ダム１３４は、前記ブリッジ溝３１２が移動するガイドとして機能するように構成されている。
【００２６】
前記案内ダム１３４の端部分には、開き板１３２が下方に瞬間的に開くようにブリッジ溝３１２によって押される突出部１３６が付加されている。前記結合溝１３５には、切断溝１３３が切断された後に反る基準面として機能するヒンジラインが形成されている。このようなヒンジラインは、図５及び図１２に示すように、結合溝突出部１３５ａに薄く形成したヒンジ溝１３５ｂによってヒンジ機能を行うように構成されている。図１０のように、切断溝ライン１３３ｂが終わる地点から結合溝突出部１３５ａまでは後部傾斜面１３５ｃをなし、後部傾斜面１３５ｃには、前記ヒンジ溝１３５ｂとつながる補助ヒンジ溝１３５ｄが形成されている。補助ヒンジ溝１３５ｄとヒンジ溝１３５ｂは、互いに鈍角をなしてつながる構造を有するので、開き板１３２が反ると、再び復元し難く（開いた状態を保持するように）機能する。
【００２７】
前記切断刃２２の幅は、図９のように、刃保護部３１０の幅より小さく構成されている。即ち、上キャップ３００Ｂの回し開き方向で切断刃２２より刃保護部３１０が前方に位置するように、刃保護部３１０を切断刃２２の幅より大きく構成する。
【００２８】
前記下キャップ１１０の偽造防止用スカート１１２と、上キャップ３００Ｂのスカート３０２には、定位置の組立を案内する表示突片ａ、ｂがそれぞれ形成されている。
【００２９】
このように構成された本願発明では、図８に示す固定部材１００の貯蔵管１３０に、添加する添加剤が貯蔵される。添加剤は、パウダー、液状または顆粒状の添加剤が挙げられる。また、作動部材３００の内部シリンダ７８を貯蔵管１３０の内径に位置するように結合する。このような結合時に留意すべきことは、内部シリンダ７８の下端には、切断刃２２と刃保護部３１０がともにブリッジ溝３１２の間隔をあけて下方に延びているので、これらを収容する開き板１３２の結合溝１３５に正確に結合されるように、図５のように表示突片ａ、ｂの垂直位置が一致するように結合される。このように結合した後は、図６の状態から図７の状態となるように上キャップ３００Ｂを回して結合させる。
【００３０】
このように、図示しない容器の入口に下キャップ１１０が結合するようにキャッピングすると、容器の入口の内部に内部シリンダ７８が収容される。
【００３１】
収容状態において、内部シリンダ７８には、切断刃２２と、切断刃２２より幅が大きく切断時の位置より先の角度位置にある刃保護部３１０が結合溝１３５にともに位置し、上キャップ３００Ｂを回して開く方向に回転させると、開き板１３２が先に底面を下に押す作用をするので、開き板１３２が下に押された状態で、切断刃２２が切断溝１３３を容易に切断するように作用する。これは、結局、切断溝１３３部分の厚さが単に切断刃を用いるときより相対的に厚くても、容易に切断が可能となるように作用する。このように、切断溝１３３部分を厚く形成可能なことは、その分、湿気の浸透を防ぐことに有利に作用して、製品の信頼性を向上させ、添加剤の変質を防ぎ、耐久性を向上させる。
【００３２】
併せて、本願発明では、切断溝１３３は、上キャップ１３３を回して開くときに切断される方式であるので、上端ネジ線１２８のネジ傾斜と一致するように傾斜するようにしなければならない。併せて、本願発明では、切断溝１３３の内側には一定の高さを有する案内ダム１３４が形成され、案内ダム１３４の内径側には、刃保護部３１０が開き板１３２の底面を押すように案内し、案内ダム１３４がレールの役割をし、同時に、切断刃２２は、切断溝１３３を切断することによって、切断位置と深さが一定になり切断エラーがなく、結合溝１３５から切断を始めて案内ダム１３４の最後の部分に至ると、上に傾斜するように突出した形状の図１１に示す突出部１３６を、図１５のように、ブリッジ溝３１２が上キャップ３００Ｂの回し開きに伴う回転力による突出部１３６の押し作用を行うので、急激に開き板１３２が開くように作用する。この場合、結合溝突出部１３５ａ側でひっくり返してみると、初期の切断刃２２は、図１２の地点ｄから切断が始まると、刃保護部３１０の押し作用は、地点ｅから互いに一定の角度∂で離隔して押す作用をし、押す面は、初期の押し傾斜面１３５ｅをなすので、開き板１３２の外側に押す力を発生させる。それゆえ、切断刃２２の切断作用が容易に行われる。このように、切断刃２２は、切断溝ライン１３３ｂに沿って移動し、刃保護部３１０は、開き板１３２の縁部分を押して順次切断し、図１５のように、ブリッジ溝３１２が突出部１３６を押す位置にきて押し作用すると、ヒンジ溝１３５ｂと補助ヒンジ溝１３５ｄが反って、図５、図１０、図１２の状態から、図１３及び図１４の状態に開く。
【００３３】
勿論、上キャップ３００Ｂの上面から上方に延びた管に、プッシュプルキャップ２００がさらに設けられていてもよい。
【００３４】
このように、開き板１３２が反ると、内部の添加剤が容器の内容物に添加され、使用者は、上キャップ３００Ｂだけを分離して延長管１３１を通じて内容物を飲めばよい。この場合、分離した上キャップ３００Ｂを含む作動部材３００は、切断刃２２が露出されていても、切断刃２２より幅も広く長さも長い刃保護部３１０が設けられているので、子供が思わず切断刃２２の部位を手で握っても、実際は、刃保護部３１０を握る効果を奏し、使用者の切断刃２２からの傷害を防止する。
【００３５】
図１８〜図２０は、本発明の他の例を示す図であって、容器の入口１２の表面（好ましくは、上面）に結合する係止鍔１１５によって入口の外面に結合する下キャップ１１０と、係止鍔１１５の内面から下方に延び、内部に添加剤を貯蔵し、容器の入口の内壁に圧着嵌合される貯蔵管１３０と、貯蔵管１３０の底の一部に切断刃２２と刃保護部３１０を同時に収容する結合溝１３５が設けられた開き板１３２を有する固定部材１００、及び、
容器（１０）の入口の容器ネジ１４とネジ結合する上キャップ３００Ｂと、上キャップ３００Ｂの底面の中央から下方に延びた内部シリンダ７８と、内部シリンダ７８の下端において突出した切断刃２２と、切断刃２２の刃を保護するように、内部シリンダ７８と同軸方向に突出した帯状の刃保護部３１０を有する作動部材３００を含むように構成され、
前記切断刃２２と刃保護部３１０は、前記結合溝１３５に同時に収容され、上キャップを回し開ける回転時、貯蔵管１３０の開き板１３２の底の縁を刃保護部が先に押して切断刃２２が切断溝１３３を切断するように構成される。
【００３６】
前記容器の入口１２の外側面には、図１９及び図２０のように、回し開き防止用の一方向性係止突起１５がさらに形成され、対応する下キャップ１１０の内面には、係止突起１５の間の空間に位置するように結合する回し開き防止傾斜突起１１４がさらに形成されている。
【００３７】
前記係止突起１５は、突起部が垂直面に鋭角で傾斜し、対応する回し開き防止傾斜突起１１４もまた同じ鋭角をなすように構成される。
【００３８】
前記切断刃２２と刃保護部３１０の下端は、一定の幅及び高さでブリッジ溝３１２をなし、結合溝１３５の始点から終点までは、開き板１３２と切断溝１３３との間に上方に一定に突出した案内ダム１３４が形成され、案内ダム１３４は、前記ブリッジ溝３１２が移動するガイドとして機能するように構成される。
【００３９】
前記案内ダム１３４の端部分には、開き板１３２が下方に瞬間的に開くようにブリッジ溝３１２によって押される突出部１３６が付加されている。
【００４０】
前記切断刃２２の幅より刃保護部３１０の幅が大きく、上キャップ３００Ｂの回し開ける方向において刃より前方に位置するように構成される。
【００４１】
前記結合溝１３５と開き板１３２の一端部には、結合溝１３５と開き板１３２を傾斜するようにつなぎ、刃保護部３１０の初期の押す力を提供する押し傾斜面１３５ｅが形成されている。
【００４２】
このように構成された他の実施例は、上キャップ３００Ｂを有する作動部材３００と、下キャップ１１０を有する固定部材１００が互いに結合され、内部添加剤が容器の内部に添加されるように機能する作用は同様であるため省略し、下キャップの容器の入口への結合と、上キャップの分離時、下キャップが固定される機能を中心に説明する。
【００４３】
下キャップ１１０は、容器の入口の内面には、貯蔵管１３０が圧着嵌合されることにより固定され、容器の入口１２の外面には、一方向性係止突起１５が形成され、対応する下キャップ１１０には、図１４のように、回し開き防止傾斜突起１１４が形成されており、下キャップ１１０を回し開ける方向（反時計回り）への回転は防止され、クローズ方向（時計回り）への回転は可能となるように機能する。
【００４４】
併せて、上キャップ３００Ｂを回し開いて開き板１３２０を開き、内部の添加剤が容器の内部に添加されるとき、下キャップ１１０もまた上キャップとともに回って開くように作用しようとするが、図２０のように、係止突起１５の係止鍔１５ｂが垂直面に鋭角Ｓをなすように傾斜しており、対応する下キャップ１１０の回し開き防止傾斜突起１１４もまた同じ鋭角で傾斜した形状であるので、下キャップ１１０部分が上に上昇分離されることが防がれる。従って、貯蔵管１３０が容器の入口の内壁に圧着嵌合されており、このような圧着嵌合の結合力が一部解除されるとしても、容器の入口１１の外壁に形成された傾斜した係止突起１５と、対応する下キャップの回し開き防止傾斜突起１１４との相互作用によって、下キャップ１１０が分離されることなく常に固定状態が保持される。
【産業上の利用可能性】
【００４５】
本発明は、下キャップと上キャップとを含み、下キャップの底面の中央には、添加剤を貯蔵する貯蔵管が設けられ、貯蔵管の底には、結合溝を有する開き板が形成され、対応する上キャップの内部シリンダの下端には、切断刃と切断刃保護用の刃保護部が設けられ、使用後、上キャップが下キャップから分離されても、子供や使用者が無意識的に刃で肌が損傷することを防ぐので、飲料容器の産業に寄与する。
【００４６】
本発明は、刃保護部が、切断刃が機能する前に開き板の底を押すようにして、切断刃の切断を容易にし、飲料容器栓の産業分野において安定性を提供する。
【図１】
2013522125.tif 000003
【図２】
2013522125.tif 000004
【図３】
2013522125.tif 000005
【図４】
2013522125.tif 000006
【図１９】
2013522125.tif 000007
【図２０】
2013522125.tif 000008
【図５】
2013522125.tif 000009
【図６】
2013522125.tif 000010
【図７】
2013522125.tif 000011
【図８】
2013522125.tif 000012
【図９】
2013522125.tif 000013
【図１０】
2013522125.tif 000014
【図１１】
2013522125.tif 000015
【図１２】
2013522125.tif 000016
【図１３】
2013522125.tif 000017
【図１４】
2013522125.tif 000018
【図１５】
2013522125.tif 000019
【図１６】
2013522125.tif 000020
【図１７】
2013522125.tif 000021
【図１８】
2013522125.tif 000022
【国際調査報告】
2013522125.tif 000023
2013522125.tif 000024
2013522125.tif 000025
2013522125.tif 000026